(57)【要約】      （修正有）【課題】柔軟シートパーツを２次元的、３次元的に簡単に連結していろいろな形の物を組み立て得るボタンおもちゃを提供する。【解決手段】シート状に復元可能に折り曲げられる柔軟性に優れているとともにボタンホール３が設けられた複数種類の柔軟シートパーツと、軸部４１の両端にボタンホール３に係合される係合部４２を有し、１枚又は２枚以上の柔軟シートパーツのボタンホール３に通してこれらの柔軟シートパーツを係合するボタンパーツ４と、を備える。柔軟シートパーツは、フェルトパーツ２であることが好ましい。ボタンパーツ４は、軸部４１が弾性変形可能に形成されていることが好ましく、軸部４１を最大６枚の柔軟シートパーツを係合させる長さに形成することができる。係合部４２は、軸部４１より大径に形成されていることが好ましい。【選択図】図１
0003194106.tif 000002
【実用新案登録請求の範囲】
【請求項１】
フラット状に復元可能に折り曲げられる柔軟性に優れているとともにボタンホールが設けられた２枚以上の柔軟シートパーツと、
軸部の両端に前記ボタンホールに係合される係合部を有し、１枚又は２枚以上の柔軟シートパーツのボタンホールに通してこれらの柔軟シートパーツを係合するボタンパーツと、
を備えたことを特徴とするボタンおもちゃ。
【請求項２】
前記柔軟シートパーツは、フェルトパーツである請求項１に記載のボタンおもちゃ。
【請求項３】
前記ボタンパーツは、軸部が弾性変形可能に形成されている請求項１又は２に記載のボタンおもちゃ。
【請求項４】
前記ボタンパーツは、軸部が最大６枚の柔軟シートパーツを係合させる長さに形成され、
前記係合部は、軸部より大径に形成されている請求項１〜３のいずれか１項に記載のボタンおもちゃ。
【請求項５】
前記ボタンホールの両端部は、当該ボタンホールのスリット幅より大径の円形に形成されている請求項１〜４のいずれか１項に記載のボタンおもちゃ。
【請求項６】
前記ボタンホールの中央部には、当該ボタンホールのスリット幅より大径の円形部が形成されている請求項１〜５のいずれか１項に記載のボタンおもちゃ。
【考案の詳細な説明】
【技術分野】
【０００１】
本考案は、柔軟シートパーツであるフェルトパーツを２次元的、３次元的にボタンパーツで連結していろいろな形の物を組み立てることができるボタンおもちゃに関するものである。
【背景技術】
【０００２】
パーツを連結していろいろな形の物を組み立てることができるおもちゃとして、代表的なものがブロックおもちゃである。ブロックおもちゃとしては、樹脂成形ブロックおもちゃが広く知られている。このブロックおもちゃは、直方体状等の合成樹脂製の複数種類複数色のブロックパーツを備えている。ブロックパーツは、大きさに合った数の短円柱状の凸部が上面に設けられているとともに、下面には、前記凸部と嵌合して係合する凹部が凸部の配置及び個数と同様に設けられている。
【０００３】
１つのブロックパーツの凸部を他のブロックパーツの凹部に嵌め合わせて、複数種類複数色のブロックパーツを使い分けて連結していくことで、いろいろな形の物を組み立てることができるようになっている。この種のブロックおもちゃは、ブロックパーツが硬質の合成樹脂による射出成形品によって作られているのが一般的であるため、ブロックパーツ自体は硬く、また、曲げることもできないので、出来上がった物は硬いイメージでソフトな感触の物とはならなかった。
【０００４】
パーツを曲げた状態で連結できる組立ておもちゃとしては、実用新案登録第2593959号公報等に記載されているものが知られている。この組立ておもちゃは、パーツを曲げた状態で係合部材によって連結するものである。係合部材は、軸部と軸部の両端に設けられた２つの係合部とからなり、一方の係合部を軸部に取り外し可能に嵌合されている。パーツの組立てにおいては、一方の係合部を軸部から取り外し、この軸部を例えば軸部のみが通る２つのパーツの通し穴にそれぞれ通してから、一方の係合部を取り外していた軸部に嵌合させて取り付けることで、係合部材によって２つのパーツを連結させることができる。しかし、パーツの連結を行う場合、その都度、一方の係合部の取り外しと、軸部のパーツの通し穴への通しと、一方の係合部の取り外していた前記軸部への取付の３つの作業が必要になって手間がかかり、簡単にパーツの連結を行えず、その結果、物を簡単に組み立てることができなかった。
【考案の概要】
【考案が解決しようとする課題】
【０００５】
本考案が解決しようとする課題は、柔軟シートパーツを２次元的、３次元的に簡単に連結していろいろな形の物を組み立て得るボタンおもちゃを提供することにある。
【課題を解決するための手段】
【０００６】
前記課題を解決するため、本考案に係るボタンおもちゃは、フラット状に復元可能に折り曲げられる柔軟性に優れているとともにボタンホールが設けられた２枚以上の柔軟シートパーツと、軸部の両端に前記ボタンホールに係合される係合部を有し、１枚又は２枚以上の柔軟シートパーツのボタンホールに通してこれらの柔軟シートパーツを係合するボタンパーツと、を備えたことを特徴とする。
【０００７】
これにより、例えば、２枚の柔軟シートパーツのボタンホールに１つのボタンパーツを通すことで、２枚の柔軟シートパーツがボタンパーツによって連結される。このとき、柔軟シートパーツを曲げた状態で連結することもできる。したがって、柔軟シートパーツを２次元的、３次元的にボタンパーツによって簡単に連結していろいろな形の物を組み立てることが可能となる。
【０００８】
本発明では、柔軟シートパーツは、フェルトパーツであることが好ましい。ボタンパーツは、軸部が弾性変形可能に形成されていることが好ましく、軸部を最大６枚の柔軟シートパーツを係合させる長さに形成することができる。また、係合部は、軸部より大径に形成されていることが好ましい。さらに、ボタンホールの両端部を、ボタンホールのスリット幅より大径の円形に形成することができる。さらに、ボタンホールの中央部に、ボタンホールのスリット幅より大径の円形部を形成することができる。
【考案の効果】
【０００９】
本考案によれば、柔軟シートパーツを２次元的、３次元的に簡単に連結していろいろな形の物を組み立てることができる。
【図面の簡単な説明】
【００１０】
【図１】本発明の実施形態のボタンおもちゃの男の子用のセットの一例を示す平面図である。
【図２】本実施形態のボタンおもちゃの女の子用のセットの一例を示す平面図である。
【図３】本実施形態のボタンおもちゃに用いられる男の子用の作例集の一部を示す図で、（ａ）〜（ｄ）は平面図である。
【図４】本実施形態のボタンおもちゃに用いられる女の子用の作例集の一部を示す図で、（ａ）〜（ｄ）は平面図である。
【考案を実施するための形態】
【００１１】
以下、本考案に係るボタンおもちゃの一実施形態を添付図面に基づいて説明する。図１及び図２に示すように、本実施形態のボタンおもちゃ１は、フラット状に復元可能に折り曲げられる柔軟性に優れた柔軟シートパーツであるフェルトパーツ２と、フェルトパーツ２のボタンホール３に係合されるボタンパーツ４とを備えるものである。
【００１２】
柔軟シートパーツは、フラット状に復元可能に折り曲げられる柔軟性に優れたものであれば特に限定されないが、一例として、フェルトパーツ２であることが好ましい。フェルトパーツ２は、ポリエステル、ナイロン、アクリルなどの合成繊維等、例えば、ポリエステルの合成繊維でシート状に形成されている。フェルトパーツ２の厚さは、特に限定されないが、約２〜４ｍｍが好ましく、特に３ｍｍ（３ｍｍ前後を含む）が好ましい。
【００１３】
フェルトパーツ２の形状は、例えば、三角形、四角形、その他の多角形、円形、半円形、楕円形、円弧状、凸状、凹状、星形、生き物の形、その他の異形等の任意の形状に形成されている。フェルトパーツ２の色は、例えば、赤、青、緑、黄色、白、黒、ピンク、紫、えんじ色等特に限定されない。フェルトパーツ２の形状、枚数及び色は、任意に設定することができ、例えば、男の子と女の子とでは好きな色や組み立てる物の好みが異なるので、男の子用と女の子用とでそれぞれ任意に設定するようにしてもよい。
【００１４】
男の子用のフェルトパーツ２は、一例として、円形の白の２枚の小フェルトパーツ２ａ、円形の白、青、緑の３枚の中フェルトパーツ２ｂ、円形の黄色の１枚の大フェルトパーツ２ｃ、三角形の青、黄色、赤の３枚の中フェルトパーツ２ｄ、正方形の黒、黄色の２枚の中フェルトパーツ２ｅ、正方形の黒の１枚の大フェルトパーツ２ｆ、長方形の青、赤の２枚の大フェルトパーツ２ｇ、略凸形の緑、赤の２枚の大フェルトパーツ２ｈ、Ｕ字状の赤、緑の２枚の大フェルトパーツ２ｉ、細長長方形の黒、白、赤の３枚の中フェルトパーツ２ｊ、細長台形の青、緑、黄色の３枚の中フェルトパーツ２ｋ、その他の魚や星形等の複数枚の小フェルトパーツ２ｍ、２ｎ、２ｐ、２ｑからなる（図１参照。）。
【００１５】
女の子用のフェルトパーツ２は、一例として、円形の水色、赤、白の３枚の中フェルトパーツ２ｂ、円形の黄色の１枚の大フェルトパーツ２ｃ、三角形の水色、黄色、薄ピンクの３枚の中フェルトパーツ２ｄ、三角形の白の１枚の大フェルトパーツ２ｒ、正方形の青、薄ピンク、白の３枚の中フェルトパーツ２ｅ、正方形の薄ピンクの１枚の大フェルトパーツ２ｆ、長方形の黄色の１枚の大フェルトパーツ２ｇ、細長長方形の薄紫の１枚の大フェルトパーツ２ｓ、４分の３円の薄ピンクの１枚の大フェルトパーツ２ｔ、略半円の赤、薄紫の２枚の大フェルトパーツ２ｕ、Ｕ字状の薄紫、水色の２枚の大フェルトパーツ２ｉ、細長楕円形の水色、赤、黄色、薄ピンク、白、薄紫の６枚の中フェルトパーツ２ｖ、その他の花弁形、星形、リボン形、ハート形等の複数枚の小フェルトパーツ２ｗ、２ｘ、２ｙ、２ｚ、２ｏからなる（図２参照。）。
【００１６】
各フェルトパーツ２には、１つ又は２つ以上のボタンホール３が設けられている。ボタンホール３は、ボタンパーツ４を通してフェルトパーツ２にボタンパーツ４を係合させるものであり、例えば、２枚以上のフェルトパーツ２をボタンパーツ４によって連結するためのものである。ボタンホール３の長手方向の長さ及びスリット幅は、任意に設定される。ボタンホール３の個数及び位置は、例えば、いろいろな形の物を組み立てる際にフェルトパーツ２の組み合わせが良くなる位置に設定される。
【００１７】
ボタンホール３の両端部には、スリット幅より大径の第１円形部３１が形成されていることが好ましい。これにより、ボタンパーツ４をボタンホール３に通す際にボタンホール３の両端部が広がって切れたりするのが抑制されるようになっている。第１円形部３１の大きさは、ボタンホール３の両端部の切れを抑制し得る範囲から任意に設定される。第１円形部３１は、すべてのボタンホール３の両端部に形成されていることが好ましい。また、ボタンホール３の中央部には、当該ボタンホール３のスリット幅より大径の第２円形部３２が形成されていることが好ましい。第２円形部３２は、第１円形部３１と径が同じでも異なっていてもよいが、一例として第１円形部３１と同じ径に形成されている。これにより、ボタンホール３に通したボタンパーツ４がボタンホール３の中央に位置決めされやすくなっている。第２円形部３２は、すべてのボタンホール３の中央部に形成するようにしてもよいし、任意のボタンホール３の中央部に形成するようにしてもよい。図１及び図２において、便宜上、第１円形部３１のみが形成されているボタンホール３を符号３Ａと示し、第１円形部３１と第２円形部３２の両方が形成されているボタンホール３を符号３Ｂと示すことがある。
【００１８】
ボタンパーツ４は、１枚又は２枚以上のフェルトパーツ２のボタンホール４に通してこれらのフェルトパーツ２を係合するものであり、軸部４１と、軸部４１の両端に設けられた係合部４２とからなる。ボタンパーツ４は、例えば、オレフィン系エラストマーで形成されている。軸部４１は、弾性変形可能に形成されていることが好ましい。軸部４１の径は、弾性変形可能な範囲から任意に設定されるが、例えば、ボタンホール３のスリット幅と同じか若干短い寸法で形成されている。軸部４１の長さは、特に限定されないが、例えば、最大６枚のフェルトパーツ２を係合すなわち通すことができる寸法で形成されている。
【００１９】
係合部４２は、ボタンホールに係合されるならばその形状は特に限定されず、一例として、軸部４１より大径の円形等に形成されている。すなわち、係合部４２の形状は、円形に限定されず、三角形、矩形、その他の多角形、円形、半円形、楕円形、三日月形などの円弧状、凸状、凹状、星形、花びら形、生き物の形、ハート形、リボン形、その他の異形等の任意の形状に形成することができる。なお、本実施形態では係合部４２が円形に形成されている場合について説明する。係合部４２の直径は、ボタンホール３の長手方向の長さより短く、例えば、若干短い寸法で形成されている。係合部４２の厚さは、ボタンホール３のスリット幅より狭く、例えば若干狭い寸法で形成されている。すなわち、係合部４２の大きさ及び厚さは、ボタンパーツ４をボタンホール３に通すことができるとともに、ボタンパーツ４がボタンホール３から抜け難い寸法でそれぞれ形成されている。
【００２０】
ボタンパーツ４の個数及び色は、任意に設定することができ、例えば、男の子と女の子とでは好きな色や組み立てる物の好みが異なるので、男の子用と女の子用とでそれぞれ任意に設定するようにしてもよい。ボタンパーツ４は、例えば、男の子用として、黒のボタンパーツ４ａが６個、赤のボタンパーツ４ｂが６個、黄色のボタンパーツ４ｃが４個からなる。女の子用のボタンパーツ４としては、例えば、茶色のボタンパーツ４ｄが６個、赤のボタンパーツ４ｂが６個、黄色のボタンパーツ４ｃが４個からなる。なお、本実施形態では、ボタンパーツ４は、色が異なる１種類のもので構成したが、これに限定されず、例えば、係合部４２の大きさが異なるもの２つ以上で構成してもよいし、係合部４２の形状が異なる２種類以上で構成してもよい。
【００２１】
このボタンパーツ４をフェルトパーツ２のボタンホール３に通すことで、フェルトパーツ２にボタンパーツ４を係合させることができる。また、ボタンパーツ４を２枚のフェルトパーツ２のボタンホール３にそれぞれ通すことで、２枚のフェルトパーツ２がボタンパーツ４によって係合されて連結される。このように、ボタンパーツ４を２枚のフェルトパーツ２のボタンホール３に通すだけであるので、フェルトパーツ２の連結を簡単に行える。また、フェルトパーツ２は、柔軟性に優れているので、フェルトパーツ２を曲げた状態で連結することもできる。その結果、本実施形態のボタンおもちゃ１は、フェルトパーツ２を２次元的、３次元的にボタンパーツ４によって簡単に連結していろいろな形の物を組み立てることができる。
【００２２】
ボタンパーツ４は、軸部４１が弾性変形可能に形成されていることで、ボタンパーツ４をボタンホール３に通し易くなるので、より簡単にフェルトパーツ２の連結等を行うことができる。また、ボタンパーツ４は、軸部４１が最大６枚のフェルトパーツ２を係合させる長さに形成されていることで、４枚ぐらいのフェルトパーツ２を重ねてボタンパーツ４で連結することができるので、物の創作範囲を広げることができる。さらに、ボタンホール３の中央部に、第２円形部３２が形成されていることで、ボタンパーツ４がボタンホール３のスリットの長手方向に動きにくいので、組み立てた物の形状をきれいな状態に保持することが可能となる。
【００２３】
また、作例集を備えていてもよい。作例集としては、フェルトパーツ２とボタンパーツ４を使っていろいろな形の物を組み立てる例であれば特に限定されず、例えば、男の子用と女の子用とでそれぞれ任意に設定するようにしてもよい。男の子用の作例集の一部は、例えば、図３に示すように、細長台形の青、緑の２枚の中フェルトパーツ２ｋと黒の１つのボタンパーツ４ａを使って「しゅりけん」を創作するもの（図３（ａ）参照。）、細長台形の青の１枚の中フェルトパーツ２ｋと略凸形の赤の１枚の大フェルトパーツ２ｈと星形の１枚の小フェルトパーツ２ｎと黒と黄色の２つのボタンパーツ４ａ、４ｃを使って「うでわ」を創作するもの（図３（ｂ）参照。）、略凸形の緑、赤の２枚の大フェルトパーツ２ｈとＵ字状の赤の１枚の大フェルトパーツ２ｉと三角形の黄色の１枚の中フェルトパーツ２ｄと黒４つ、黄色１つの合計５つのボタンパーツ４ａ、４ｃを使って「くわがたむし」を創作するもの（図３（ｃ）参照。）、円形の緑の１枚の中フェルトパーツ２ｂと細長台形の緑、黄色の２枚の中フェルトパーツ２ｋと正方形の黒、黄色の２枚の中フェルトパーツ２ｅと長方形の赤の１枚の大フェルトパーツ２ｇと黒４つ、赤２つ、黄色１つの合計７つのボタンパーツ４ａ、４ｂ、４ｃを使って「ショベルカー」を創作するもの（図３（ｄ）参照。）である。
【００２４】
女の子用の作例集の一部は、例えば、図４に示すように、Ｕ字状の薄紫、水色の２枚の大フェルトパーツ２ｉとハート形の１枚の小フェルトパーツ２ｚと黄色の２つのボタンパーツ４ｃを使って「ティアラ」を創作するもの（図４（ａ）参照。）、円形の黄色の１枚の大フェルトパーツ２ｃと細長楕円形の水色、薄紫の２枚の中フェルトパーツ２ｖと茶色２つ、赤１つの合計３つのボタンパーツ４ｄ、４ｂを使って「うさぎ」を創作するもの（図４（ｂ）参照。）、正方形の薄ピンクの１枚の大フェルトパーツ２ｆと正方形の白の１枚の中フェルトパーツ２ｅと円形の赤の１枚の中フェルトパーツ２ｂと三角形の黄色の１枚の中フェルトパーツ２ｄと茶色の１つのボタンパーツ４ｄを使って「いちごのきじのクレープ」を創作するもの（図４（ｃ）参照。）、おべんとうばこが正方形の薄ピンクの１枚の大フェルトパーツ２ｆと細長楕円形の水色、赤、薄ピンク、薄紫の４枚の中フェルトパーツ２ｖと茶色の４つのボタンパーツ４を使って創作し、なかみが三角形の白の１枚の大フェルトパーツ２ｒと円形の赤の１枚の中フェルトパーツ２ｂとＵ字状の水色の１枚の大フェルトパーツ２ｉと細長楕円形の黄色の１枚の中フェルトパーツ２ｖと花弁形、ハート形の１枚の小フェルトパーツ２ｚと黄色２つ、赤１つの合計３つのボタンパーツ４ｃ、４ｂを使って創作して「おべんとう」を創作するもの（図４（ｄ）参照。）である。
【００２５】
各作例集には、出来上がった物と、使うフェルトパーツ２とボタンパーツ４の絵、作り方のヒントが記載されている。これにより、作例集に載っている物を創作することができる。
【符号の説明】
【００２６】
１  ボタンおもちゃ
２  フェルトパーツ
３  ボタンホール３
４  ボタンパーツ
３１  第１円形部
３２  第２円形部
４１  軸部
４２  係合部
【図１】
0003194106.tif 000003
【図２】
0003194106.tif 000004
【図３】
0003194106.tif 000005
【図４】
0003194106.tif 000006